(57)【要約】【課題】装置の小型化及び薄型化を実現し、衝撃に対してピックアップを安定して確実に規制することができ、衝撃を和らげることができる信頼性の高いストッパーを持つディスクローディング装置を得ること。【解決手段】ボトムカバー１１とトップカバー１２で構成されたフレーム１０の内部に、装着されたディスク１を再生する再生機構が設けられている。トップカバー１２にはクランパーカバー２１が取り付けられており、その内部に上下に移動可能なディスクホルダー２２を保持するクランパー部２０が配設されている。クランパー部２０は、ディスクホルダー２２の他に、環状に形成されたマグネット及びマグネットヨークから構成され、マグネットはマグネットヨーク内にディスクホルダー２２と同心円上に固定されているディスクローディング装置。【選択図】        図１
2007200376.tif 000002
【特許請求の範囲】
【請求項１】
ボトムカバーとトップカバーで構成されたフレームの内部には、
スピンドルモータにより駆動されるターンテーブルと、
装着されたディスクの情報を読み込むためのピックアップと、
前記ピックアップを前記ディスクの直径方向に移動するためのトラバースユニットと
を備え、
前記トラバースユニットの一端側に前記ターンテーブルを設け、
前記ターンテーブルが前記ボトムカバーと近接離間するように前記トラバースユニットを回動自在に設け、
ディスク挟着状態では前記ターンテーブルが前記ボトムカバーから離間した状態となり、ディスク待機状態では前記ターンテーブルが前記ボトムカバーに近接した状態となるとともに前記ピックアップを前記ディスクの外周方向に移動させているディスクローディング装置であって、
前記ターンテーブルと前記ピックアップとの間にストッパーを設け、前記ストッパーを弾性部材で構成し、前記トラバースユニットの降下動作によって前記ストッパーが前記ボトムカバーに当接することで、前記ストッパーの端部が前記ピックアップを阻止する位置に配置されることを特徴とするディスクローディング装置。
【請求項２】
前記ストッパーを、前記ディスク待機時に、前記ピックアップが摺動するレールに当接するように構成したことを特徴とする請求項１に記載のディスクローディング装置。
【請求項３】
前記端部を折り曲げ処理したことを特徴とする請求項１に記載のディスクローディング装置。
【請求項４】
前記端部を潤滑性のある部材で覆うことを特徴とする請求講１に記載のディスクローディング装置。
【請求項５】
前記ディスクの排出時において、前記トラバースユニットを下降する前に、前記ピックアップを前記ディスクの外周方向に移動することを特徴とする請求項１に記載のディスクローディング装置。
【請求項６】
前記ボトムカバーに突起を設け、前記ストッパーを前記突起に当接させることを特徴とする請求項１に記載のディスクローディング装置。
【請求項７】
前記ディスクを前記フレームの内部に直接挿入することを特徴とする請求項１から請求項６に記載のディスクローディング装置。
【発明の詳細な説明】
【技術分野】
【０００１】
本発明は、ＣＤ等のディスク状の記録媒体（以下に単にディスクという）に記録再生を行う機能を有するディスクローディング装置に関するものである。
【背景技術】
【０００２】
一般に従来のディスクローディング装置は、ディスクが排出された状態では、ピックアップは固定されておらず、リードスクリューとの摩擦のみで保持されているため、落下などの衝撃力がかかると、容易に移動してボトムケースにピックアップが当たってしまう。
これを防止するために、従来の装置では、ボトムケースの一部を切り起こして、ピックアップの移動を規制するものがある。
【発明の開示】
【発明が解決しようとする課題】
【０００３】
しかし、ボトムケースの一部を切り起こす方法では、通常動作時にはピックアップが切り起こしに当たらず、ピックアップが下がっている場合だけピックアップが切り起こしに当たるような位置に設ける必要がある。
特に、最近ではフレームの薄型化により、ターンテーブルの上下移動量も極めて少なくなっており、ピックアップとボトムケースとの距離も小さくなってきている。
従って、切り起こしはかなり内周部に近い部分に設けることになるので、衝撃が加わった場合には、ピックがある程度移動してしまうため、たとえ切り起こしで止められたとしてもその際の衝撃は大きい。
【０００４】
本発明は、上記の問題を解決するためになされたものであり、装置の小型化及び薄型化を実現し、衝撃に対してピックアップを安定して確実に規制することができ、衝撃を和らげることができる信頼性の高いストッパーを持つディスクローディング装置を得ることを目的とする。
【課題を解決するための手段】
【０００５】
請求項１記載の本発明のディスクローディング装置は、ボトムカバーとトップカバーで構成されたフレームの内部には、スピンドルモータにより駆動されるターンテーブルと、装着されたディスクの情報を読み込むためのピックアップと、前記ピックアップを前記ディスクの直径方向に移動するためのトラバースユニットとを備え、前記トラバースユニットの一端側に前記ターンテーブルを設け、前記ターンテーブルが前記ボトムカバーと近接離間するように前記トラバースユニットを回動自在に設け、ディスク挟着状態では前記ターンテーブルが前記ボトムカバーから離間した状態となり、ディスク待機状態では前記ターンテーブルが前記ボトムカバーに近接した状態となるとともに前記ピックアップを前記ディスクの外周方向に移動させているディスクローディング装置であって、前記ターンテーブルと前記ピックアップとの間にストッパーを設け、前記ストッパーを弾性部材で構成し、前記トラバースユニットの降下動作によって前記ストッパーが前記ボトムカバーに当接することで、前記ストッパーの端部が前記ピックアップを阻止する位置に配置されることを特徴とする。
請求項２記載の本発明は、請求項１に記載のディスクローディング装置において、前記ストッパーを、前記ディスク待機時に、前記ピックアップが摺動するレールに当接するように構成したことを特徴とする。
請求項３記載の本発明は、請求項１に記載のディスクローディング装置において、前記端部を折り曲げ処理したことを特徴とする。
請求項４記載の本発明は、請求項１に記載のディスクローディング装置において、前記端部を潤滑性のある部材で覆うことを特徴とする。
請求項５記載の本発明は、請求項１に記載のディスクローディング装置において、前記ディスクの排出時において、前記トラバースユニットを下降する前に、前記ピックアップを前記ディスクの外周方向に移動することを特徴とする。
請求項６記載の本発明は、請求項１に記載のディスクローディング装置において、前記ボトムカバーに突起を設け、前記ストッパーを前記突起に当接させることを特徴とする。
請求項７記載の本発明は、請求項１から請求項６に記載のディスクローディング装置において、前記ディスクを前記フレームの内部に直接挿入することを特徴とする。
【発明の効果】
【０００６】
本発明によれば、装置の小型化及び薄型化を実現し、かつピックアップを安定して確実に停止させることができる。特に本発明では、ストッパーとして弾性部材を用いることにより、ピックアップを所定位置で安定して固定することができ、また衝撃吸収するためにピックアップの損傷を防止することができる。
【発明を実施するための最良の形態】
【０００７】
本発明の第１の実施の形態によるディスクローディング装置は、ターンテーブルとピックアップとの間にストッパーを設け、ストッパーを弾性部材で構成し、トラバースユニットの降下動作によってストッパーがボトムカバーに当接することで、ストッパーの端部がピックアップを阻止する位置に配置されるものである。本実施の形態によれば、装置の小型化及び薄型化を実現し、かつピックアップを安定して確実に停止させることができる。
本発明の第２の実施の形態は、第１の実施の形態によるディスクローディング装置において、ストッパーを、ディスク待機時に、ピックアップが摺動するレールに当接するように構成したものである。本実施の形態によれば、摺動箇所にて動作を規制することで確実な固定を行うことができる。
本発明の第３の実施の形態は、第１の実施の形態によるディスクローディング装置において、端部を折り曲げ処理したものである。本実施の形態によれば、衝撃を和らげることができる。
本発明の第４の実施の形態は、第１の実施の形態によるディスクローディング装置において、端部を潤滑性のある部材で覆うものである。本実施の形態によれば、衝撃を和らげるとともに傷が付きにくい。
本発明の第５の実施の形態は、第１の実施の形態によるディスクローディング装置において、ディスクの排出時において、トラバースユニットを下降する前に、ピックアップをディスクの外周方向に移動するものである。本実施の形態によれば、ストッパーによる干渉を防止することができ、ピックアップの退避動作を確実に行うことができる。
本発明の第６の実施の形態は、第１の実施の形態によるディスクローディング装置において、ボトムカバーに突起を設け、ストッパーを突起に当接させるものである。本実施の形態によれば、ストッパーの変位量を少なくすることができる。
本発明の第７の実施の形態は、第１から第６の実施の形態によるディスクローディング装置において、ディスクをフレームの内部に直接挿入するものである。本実施の形態によれば、装置の薄型化を更に図ることができる。
【実施例１】
【０００８】
以下、本発明の一実施例によるディスクローディング装置について説明する。
図１は本発明の実施例１によるディスクローディング装置のディスク待機状態を示す要部側断面図、図２は同装置のディスクの挿入が行われている途中の状態を示す要部側断面図、図３は同装置のディスクが挟着されている状態を示す要部側断面図である。
実施例１のディスクローディング装置は、ボトムカバー１１とトップカバー１２で構成されたフレーム１０の内部に、装着されたディスク１を再生する再生機構が設けられている。トップカバー１２にはクランパーカバー２１が取り付けられており、その内部に上下に移動可能なディスクホルダー２２を保持するクランパー部２０が配設されている。クランパー部２０は、ディスクホルダー２２の他に、環状に形成されたマグネット及びマグネットヨークから構成され、マグネットはマグネットヨーク内にディスクホルダー２２と同心円上に固定されている。
フレーム１０の内部には、ディスクホルダー２２と対向する位置にスピンドルモータ３１により駆動されるターンテーブル３２が配置されている。
また、フレーム１０の内部には、装着されたディスク１の情報を読み込むためのピックアップ３３と、このピックアップ３３をディスク１の直径方向に移動するためのトラバースユニット３０が設けられている。このトラバースユニット３０はトラバースシャーシ３４に保持され、装着されたディスク１の周縁部分近傍にある軸３５を中心に所定角度回動するよう構成されている。トラバースユニット３０の一端側にはターンテーブル３２が、トラバースユニット３０の他端側には軸３５が設けられている。
トラバースユニット３０の回動により、ターンテーブル３２はボトムカバー１１に対して近接離間するように動作する。ディスク挟着状態ではターンテーブル３２は、ボトムカバー１１から離間した状態となり、ディスク待機状態ではターンテーブル３２は、ボトムカバー１１に近接した状態となる。
【０００９】
また、ストッパー５０は弾性材料で構成され、その一端５１がターンテーブル３２とピックアップ３３との間のトラバースシャーシ３４に固定され、その他端５２は自由端となっている。トラバースユニット３０が上昇した位置にあるときには、自由端側端部５２はピックアップ３３よりボトムカバー１１側に配置されており、トラバースユニット３０の降下動作によって、突出部５３がボトムカバー１１に当接することで、自由端側端部５２がピックアップ３３を阻止する位置に配置される。自由端側端部５２は折り曲げ処理され、潤滑性のある部材で覆われている。自由端側端部５２を折り曲げ処理することで、レールに当たったときでも傷がつきにくく、レールの位置が変化した場合でも、ストッパー５０の高さがレールの変化に追従しやすくなる。
なお、突出部５３が当接する位置のボトムカバー１１には突起を設けていることが好ましい。このボトムカバー１１の突起を、ストッパー５０の突出部５３に当接させることで、ストッパー５０の変位ストロークを稼ぐことができる。
フレーム１０の一方の側部には開口部１３が形成されており、この開口部１３近傍にはディスクフィーダ４０が設けられている。ディスクフィーダ４０は、回転するローラ４１を有し、軸４２を中心に回動可能に構成されている。また、ローラ４１と対向するトップカバー１２内面にはパッド４３が設けられている。
【００１０】
図１及び図２に示すように、トラバースユニット３０が下方位置にあるとき、すなわちディスク待機状態及びディスク引き込み途中状態のとき、スピンドルモータ３１は、ボトムカバー１１と接触しない位置に配置され、フレーム１０はトラバースユニット３０が所定距離の上下動作が可能なように薄く形成されている。このとき、ストッパー５０は突出部５３がボトムカバー１１に押圧され、自由端側端部５２がトップカバー１２側に曲げられることにより、自由端側端部５２がピックアップ３３に当たる位置まで高くなっている。また、ディスク１の再生時においては、図３のようにトラバースユニット３０が上昇位置にあり、ストッパー５０がボトムカバー１１に押し付けられないため、ストッパー５０はピックアップ３３の高さより低い位置にある。そのため、ピックアップ３３が移動する際にもストッパー５０に接触することはなく、ピックアップ３３の動作を妨げることはない。
ピックアップ３３は、ターンテーブル３２が下方位置にあるとき、すなわちディスク待機状態及びディスク引き込み途中状態において、ボトムカバー１１と接触しないようディスク１の外周方向に移動させて、軸３５の近傍に配置される。また、ディスク１の排出時においては、トラバースユニット３０がディスク１の挟着を解除するために下降する前に、ピックアップ３３をディスク１の外周方向に移動させて、ピックアップ３３がボトムカバー１１と接触しないよう構成されている。
【００１１】
上記のように、本実施例は、ストッパー５０を回動しない構成とし、ターンテーブル３２を保持するトラバースユニット３０をトラバースシャーシ３４の軸３５を中心に回動させて上下に移動するように構成している。そして、ターンテーブル３２が下方位置にあるときは、ピックアップ３３をディスク外周方向に移動させるよう構成している。このように、本実施例では、ストッパー５０の高さがトラバースユニット３０の上下動により変化するため、ストッパー５０の高さが影響することはなく、ディスクローディング装置の薄型化が可能となる。
【００１２】
次に、上記のように構成された実施例１のディスクローディング装置の動作について説明する。
図１はディスク１が装置に引き込まれる前のディスク待機状態であり、図２はディスク１の引き込まれている途中の状態を示し、図３はディスク１が挟着されている状態を示している。
図１に示したディスク待機状態から、ディスク１は引き込まれてその先端１ａが所定の位置（図２において符号Ｓで示す位置）に達したとき、ローラ４１が回転を始め、ディスクフィーダ４０は回動（図１の時計方向に所定角度回動）してディスク１に圧接する。このローラ４１の回転により、ディスク１はパッド４３に押し付けられつつターンテーブル３２の方向へ移動し、ディスク１の中心とターンテーブル３２の中心が略一致する位置（再生位置）まで送り込まれる。
【００１３】
上記のようにディスク１が所定の位置に到達したとき、電気信号が駆動機構に入力され、その駆動機構によりトラバースユニット３０がトラバースシャーシ３４の軸３５を中心に回動する。その結果、ターンテーブル３２はディスク１を押圧する方向に移動し、ディスクホルダー２２側に付勢される。なお、駆動機構の動作開始に関しては、上記のような電気信号の代わりにディスク１の挿入によりレバーとカム等の機械的な連動動作により行うことも可能である。
【実施例２】
【００１４】
図４（ａ）は本発明の実施例２によるディスクローディング装置のディスク待機状態を示す要部平面図、同図（ｂ）は同状態を示す要部側断面図、同図（ｃ）は同装置のディスクが挟着されている状態を示す要部側断面図である。
実施例２によるディスクローディング装置においても、実施例１と同様に、ボトムカバー１１とトップカバーとからフレームが構成され、このフレームのフロント面に設けたディスク挿入口からディスクを直接挿入するスロットイン方式のディスク装置である。図示はしないが、トップカバーの中央部には、開口部が設けられている。この開口部は、ディスク１の中心孔よりも大きな半径の円形開口であり、ディスク１の中心孔に嵌合するスピンドルモータ３１のハブよりも大きな開口である。
【００１５】
図４に示すように、トラバースユニット３０は、スピンドルモータ３１とピックアップ３３とピックアップ３３を移動させる駆動手段３６とを保持している。スピンドルモータ３１はトラバースユニット３０の一端側に設けられ、ピックアップ３３はトラバースユニット３０の一端側から他端側までを移動可能に設けられている。またピックアップ３２は停止時にはトラバースユニット３０の他端側に配置される。駆動手段３６は、駆動モータと、ピックアップ３３を摺動させる一対のレール３７と、駆動モータの駆動をピックアップ３３に伝達する歯車機構とを有し、一対のレール３７はトラバースユニット３０の一端側と他端側とを連接するように両側部に配置されている。駆動モータはレール３７の外方に、駆動軸がレールと平行になるように配置されている。歯車機構は、この駆動モータとレール３７との間の空間に配置されている。
トラバースユニット３０には、スピンドルモータ３１がボトムカバー１１の中央部に位置し、またピックアップ３３の往復動範囲がスピンドルモータ３１よりもディスク挿入口側に位置し、またピックアップ３３の往復移動方向がディスクの挿入方向と異なるように配設されている。ここで、ピックアップ３３の往復移動方向とディスクの挿入方向とは、４０〜４５度の角度としている。
【００１６】
トラバースユニット３０は、一対のインシュレータ３８によってボトムカバー１１に支持されている。
一対のインシュレータ３８は、スピンドルモータ３１の位置よりもピックアップ３３の静止位置側に配設し、ピックアップ３３の静止位置よりもディスク挿入口側の位置に配設することが好ましい。本実施例では、一方のインシュレータ３８はディスク挿入口の内側近傍の一端側に、他方のインシュレータ３８はディスク挿入口の内側近傍の中央部に設けている。インシュレータ３８は、弾性材料からなるダンパー機構を備えている。インシュレータ３８は、このダンパー機構によって、トラバースユニット３０がボトムカバー１１から離間する方向に変位することができる。なお、トラバースユニット３０は、インシュレータ３８を支点として、スピンドルモータ３１をボトムカバー１１と近接離間させるように動作する。
【００１７】
ストッパー５０は弾性材料で構成され、その一端５１がターンテーブル３２とピックアップ３３との間のトラバースシャーシ３４に固定され、その他端５２は自由端となっている。トラバースユニット３０が上昇した位置にあるときには、自由端側端部５２はピックアップ３３よりボトムカバー１１側に配置されており、トラバースユニット３０の降下動作によって、突出部５３がボトムカバー１１に当接することで、自由端側端部５２がピックアップ３３を阻止する位置に配置される。自由端側端部５２は折り曲げ処理され、潤滑性のある部材で覆われている。自由端側端部５２を折り曲げ処理することで、レールに当たったときでも傷がつきにくく、レールの位置が変化した場合でも、ストッパー５０の高さがレールの変化に追従しやすくなる。
なお、突出部５３が当接する位置のボトムカバー１１には突起を設けていることが好ましい。このボトムカバー１１の突起を、ストッパー５０の突出部５３に当接させることで、ストッパー５０の移動ストロークを稼ぐことができる。
【産業上の利用可能性】
【００１８】
本発明は、特にスロットイン方式のディスクローディング装置に適している。
【図面の簡単な説明】
【００１９】
【図１】本発明に係るディスクローディング装置の実施例１におけるディスク待機状態を示す要部側面図である。
【図２】同装置のディスクの挿入が行われている途中の状態を示す要部側断面図
【図３】同装置のディスクが挟着されている状態を示す要部側断面図
【図４】（ａ）は本発明の実施例２によるディスクローディング装置のディスク待機状態を示す要部平面図、（ｂ）は同状態を示す要部側断面図、（ｃ）は同装置のディスクが挟着されている状態を示す要部側断面図
【符号の説明】
【００２０】
１  ディスク
１０  フレーム
１１  ボトムカバー
１２  トップカバー
３０  トラバースユニット
３１  スピンドルモータ
３３  ピックアップ
３４  トラバースシャーシ
３５  軸
５０  ストッパー
５１  一端
５２  他端（自由端即端部）
５３  突出部
【図１】
2007200376.tif 000003
【図２】
2007200376.tif 000004
【図３】
2007200376.tif 000005
【図４】
2007200376.tif 000006